(57)【要約】【課題】使用者が熱交換器の水を抜く作業のために、エアコンプレッサを準備し、各空気調和機まで運び込む必要が無くなって、熱交換器の水抜き作業の手間を軽減できる空気調和機を提供する。【解決手段】送風機２に取り付けられた配管４と、熱交換器３の水流路３０の水出口３０ｂとを、ホースを介して、接続する。そして、送風機２を運転し、開閉弁５を開けて、送風機２の空気を、ホースを介して、水出口３０ｂに送り、この空気圧により、水流路３０内の水を、水入口３０ａから排出する。【選択図】図２
2010144945.tif 000002
【特許請求の範囲】
【請求項１】
ケーシング（１）と、
上記ケーシング（１）内に配置されている送風機（２）と、
上記ケーシング（１）内に配置されると共に水流路（３０）を有する熱交換器（３）と
を備え、
上記ケーシング（１）内には、上記送風機（２）によって送り出される空気が通る空気通路（Ａ）が、設けられ、
上記空気通路（Ａ）に連通する開閉可能な接続ポート（Ｐ）を有することを特徴とする空気調和機。
【請求項２】
請求項１に記載の空気調和機において、
上記接続ポート（Ｐ）を開閉する弁（５）を有することを特徴とする空気調和機。
【請求項３】
請求項１または２に記載の空気調和機において、
上記水流路（３０）に連通する空気抜き弁（３１）および空気抜きチューブ（３２）を有し、
上記空気抜きチューブ（３２）は、上記接続ポート（Ｐ）に、連通可能であることを特徴とする空気調和機。
【発明の詳細な説明】
【技術分野】
【０００１】
この発明は、空気調和機に関する。
【背景技術】
【０００２】
従来、空気調和機としては、図５に示すように、送風機１０１と熱交換器１０２とを備えたものがある（実開昭６１−４１５１５号公報：特許文献１参照）。
【０００３】
熱交換器１０２は、水流路１０３を有する。水流路１０３は、水入口１０３ａと水出口１０３ｂとを有する。
【０００４】
そして、熱交換器１０２の水流路１０３内の水を排出するには、エアコンプレッサ１０４を水出口１０３ｂに接続して、エアコンプレッサ１０４の圧縮空気によって、水入口１０３ａから水を抜いていた。
【特許文献１】実開昭６１−４１５１５号公報
【発明の開示】
【発明が解決しようとする課題】
【０００５】
しかしながら、上記従来の空気調和機では、熱交換器１０２の水を抜く作業において、エアコンプレッサ１０４を準備し、各空気調和機まで運び込む必要があり、熱交換器１０２の水抜き作業に手間がかかる問題があった。
【０００６】
そこで、この発明の課題は、使用者が熱交換器の水を抜く作業のために、エアコンプレッサを準備し、各空気調和機まで運び込む必要が無くなって、熱交換器の水抜き作業の手間を軽減できる空気調和機を提供することにある。
【課題を解決するための手段】
【０００７】
上記課題を解決するため、この発明の空気調和機は、
ケーシングと、
上記ケーシング内に配置されている送風機と、
上記ケーシング内に配置されると共に水流路を有する熱交換器と
を備え、
上記ケーシング内には、上記送風機によって送り出される空気が通る空気通路が、設けられ、
上記空気通路に連通する開閉可能な接続ポートを有することを特徴としている。
【０００８】
この発明の空気調和機によれば、上記ケーシング内には、上記送風機によって送り出される空気が通る上記空気通路が、設けられ、上記空気通路に連通する開閉可能な上記接続ポートを有するので、上記接続ポートと上記水流路とを接続することで、上記送風機からの空気によって、上記水流路内の水を排出できる。
【０００９】
したがって、使用者が上記熱交換器の水を抜く作業のために、エアコンプレッサを準備し、各空気調和機まで運び込む必要が無くなって、上記熱交換器の水抜き作業の手間を軽減できる。
【００１０】
また、一実施形態の空気調和機では、上記接続ポートを開閉する弁を有する。
【００１１】
この実施形態の空気調和機によれば、上記接続ポートを開閉する弁を有するので、上記接続ポートの開閉が容易になる。
【００１２】
また、一実施形態の空気調和機では、
上記水流路に連通する空気抜き弁および空気抜きチューブを有し、
上記空気抜きチューブは、上記接続ポートに、連通可能である。
【００１３】
この実施形態の空気調和機によれば、上記水流路に連通する空気抜き弁および空気抜きチューブを有し、上記空気抜きチューブは、上記接続ポートに、連通可能であるので、上記空気抜きチューブを上記接続ポートに連通することで、上記送風機からの空気によって、上記水流路内の水を排出できる。
【００１４】
したがって、上記空気抜きチューブを、本来の上記水流路内の空気抜きに利用することに加えて、上記水流路内の水抜きに利用することができる。
【発明の効果】
【００１５】
この発明の空気調和機によれば、ケーシング内には、送風機によって送り出される空気が通る空気通路が、設けられ、空気通路に連通する開閉可能な接続ポートを有するので、使用者が熱交換器の水を抜く作業のために、エアコンプレッサを準備し、各空気調和機まで運び込む必要が無くなって、熱交換器の水抜き作業の手間を軽減できる。
【発明を実施するための最良の形態】
【００１６】
以下、この発明を図示の実施の形態により詳細に説明する。
【００１７】
（第１の実施形態）
図１は、この発明の空気調和機の第１実施形態である斜視図を示している。この空気調和機は、ファンコイル型の空気調和機である。この空気調和機は、ケーシング１と、ケーシング１内に配置されている送風機２と、ケーシング１内に配置されている熱交換器３とを有する。
【００１８】
ケーシング１は、箱型に形成され、後壁に吸込口１０Ａを有し、前壁に吹出口１０Ｂを有する。ケーシング１内の吸込口１０Ａ側には、エアフィルター１１が設けられている。エアフィルター１１の前方に送風機２が配置され、送風機２と吹出口１０Ｂとの間に、熱交換器３が配置される。
【００１９】
送風機２は、遠心型の送風機である。送風機２は、ファン２０と、このファン２０を囲むファンケーシング２１とを有する。
【００２０】
熱交換器３は、プレート式熱交換器である。熱交換器３は、水流路３０を有する。水流路３０は、下側の水入口３０ａと上側の水出口３０ｂとを有する。熱交換器３は、送風機２の送風口に対向して配置され、送風機２によって送り出される空気と、水流路３０内の水との、熱交換を行う。
【００２１】
熱交換器３には、水流路３０に連通する空気抜き弁３１および空気抜きチューブ３２が設けられている。空気抜き弁３１および空気抜きチューブ３２は、水流路３０内の空気抜きに、利用される。
【００２２】
熱交換器３の下側には、ドレンパン１２が取り付けられ、ドレンパン１２は、熱交換器３の結露水を受ける。空気抜きチューブ３２は、ドレンパン１２上に配置されている。
【００２３】
ケーシング１内には、送風機２によって送り出される空気が通る空気通路Ａが、設けられている。具体的に述べると、この空気通路Ａは、送風機２のファン２０からケーシング１の吹出口１０Ｂまでの空気が通る通路である。
【００２４】
送風機２のファンケーシング２１には、空気通路Ａに連通する開閉可能な接続ポートＰが設けられている。具体的に述べると、接続ポートＰは、ファンケーシング２１の側面に設けられている。この接続ポートＰに、配管４が取り付けられ、この配管４に、接続ポートＰを開閉する開閉弁５が取り付けられている。開閉弁５は、空気調和機の通常運転では、常時、閉じられており、熱交換器３の水抜き作業時に、開けられる。
【００２５】
上記構成の空気調和機の作用を説明すると、矢印に示すように、外部の空気を吸込口１０Ａから吸い込み、送風機２から熱交換器３に向かって空気を吹き付け、熱交換器３を通過した空気を、矢印に示すように、吹出口１０Ｂから外部に吹き出す。空気は、熱交換器３を通過することで、熱交換器３の水流路３０内の水と熱交換を行って、温風または冷風となる。
【００２６】
次に、熱交換器３の水流路３０内の水の排出を説明すると、ケーシング１の蓋を外して、（図示しない）ホースにより、接続ポートＰと水流路３０とを連通（接続）することで、送風機２からの空気によって、水流路３０内の水を排出する。
【００２７】
具体的に述べると、図２に示すように、接続ポートＰに取り付けられた配管４と、水流路３０の水出口３０ｂとを、ホースを介して、接続する。そして、送風機２を運転し、開閉弁５を開けて、送風機２の空気を、ホースを介して、一点鎖線の矢印に示すように、水出口３０ｂに送り、この空気圧により、水流路３０内の水を、一点鎖線の矢印に示すように、水入口３０ａから排出する。
【００２８】
次に、上記構成の空気調和機が用いられる冷凍サイクルを説明する。図３に示すように、この冷凍サイクルは、圧縮機５１と、凝縮器としての第１熱交換器５２と、膨張機構５３と、蒸発器としての第２熱交換器５４とを順に接続してなる。圧縮機５１と第１熱交換器５２との間と、第２熱交換器５４と圧縮機５１との間とを、４路切換弁５５で接続している。この４路切換弁５５を切り換えることによって、凝縮器および蒸発器として働いている第１熱交換器５２および第２熱交換器５４を、蒸発器および凝縮器として働かせることができるようにしている。第２熱交換器５４を、上記構成の空気調和機の熱交換器３によって構成する。
【００２９】
上記構成の空気調和機によれば、接続ポートＰと水流路３０とを連通することで、送風機２からの空気によって、水流路３０内の水を排出できる。したがって、使用者が熱交換器３の水を抜く作業のために、エアコンプレッサを準備し、各空気調和機まで運び込む必要が無くなって、熱交換器３の水抜き作業の手間を軽減できる。また、接続ポートＰを開閉する開閉弁５を有するので、接続ポートＰの開閉が容易になる。
【００３０】
（第２の実施形態）
図４は、この発明の空気調和機の第２の実施形態を示している。上記第１の実施形態と相違する点を説明すると、この第２の実施形態では、接続ポートの位置が相違する。なお、その他の構造は、上記第１の実施形態と同じであるため、その説明を省略する。
【００３１】
図４に示すように、接続ポートＰは、ケーシング１における水入口３０ａおよび水出口３０ｂ側の側壁に設けられている。接続ポートＰは、空気通路Ａに連通している。接続ポートＰには、配管４が取り付けられ、配管４には、開閉弁５が取り付けられている。
【００３２】
そして、熱交換器３の水流路３０内の水の排出作業において、空気抜きチューブ３２を、仮想線に示すように、配管４に接続し、開閉弁５および空気抜き弁３１を開けて、送風機２の空気を、空気抜きチューブ３２を介して、水流路３０に送る。この空気圧により、水流路３０内の水を、水入口３０ａから排出する。つまり、空気抜きチューブ３２は、配管４に接続可能であり、接続ポートＰに、連通可能となる。
【００３３】
上記構成の空気調和機によれば、空気抜きチューブ３２を接続ポートＰに連通することで、送風機２からの空気によって、水流路３０内の水を排出できる。したがって、空気抜きチューブ３２を、本来の水流路３０内の空気抜きに利用することに加えて、水流路３０内の水抜きに利用することができる。
【００３４】
なお、この発明は上述の実施形態に限定されない。例えば、接続ポートＰを、開閉弁５以外に、着脱可能な蓋にて、閉じるようにしてもよい。また、接続ポートＰを設ける位置は、空気通路Ａに連通していれば、どこでもよい。
【図面の簡単な説明】
【００３５】
【図１】本発明の空気調和機の第１実施形態を示す斜視図である。
【図２】熱交換器の水抜き作業の作用説明図である。
【図３】冷凍サイクルの簡略構成図である。
【図４】本発明の空気調和機の第２実施形態を示す斜視図である。
【図５】従来の熱交換器の水抜き作業の作用説明図である。
【符号の説明】
【００３６】
１  ケーシング
１０Ａ  吸込口
１０Ｂ  吹出口
１１  エアフィルター
１２  ドレンパン
２  送風機
２０  ファン
２１  ファンケーシング
３  熱交換器
３０  水流路
３０ａ  水入口
３０ｂ  水出口
３１  空気抜き弁
３２  空気抜きチューブ
４  配管
５  開閉弁
Ｐ  接続ポート
Ａ  空気通路
【図１】
2010144945.tif 000003
【図２】
2010144945.tif 000004
【図３】
2010144945.tif 000005
【図４】
2010144945.tif 000006
【図５】
2010144945.tif 000007